(57)【要約】【課題】天井板、壁板において各々の板のつなぎ目に施工される目地ジョイナーは表から装入し裏で固定する方法が一般的であった。海上で床を施工する場合下部より施工するための足場を設置する事が困難であり、足場の施工費用も高価である。また天井、壁が高い建築物の場合も困難度は低下するものの同様の問題がある。【解決手段】下部ジョイナー本体に支持棒が取り付け部品を介して回動可能に設けられたことを特徴とする目地ジョイナー装置を提供し、天井板あるいは床板設置後、天井あるいは床板上部より、または壁板設置後その内部より目地ジョイナーを挿入して、設置することを可能とした。【選択図】  図１
2005273381.tif 000002
【特許請求の範囲】
【請求項１】
複数の板体間に隙間を設けて取り付ける目地ジョイナーであって、目地ジョイナー本体に支持棒が取り付け部品を介して回動可能に設けられたことを特徴とする目地ジョイナー装置。
【請求項２】
請求項1記載の目地ジョイナー装置において、支持棒が取り付け部品に一体的に設けられ、取り付け部品に設けた小孔を介して目地ジョイナー本体に回動可能に設けられたことを特徴とする目地ジョイナー装置。
【請求項３】
請求項２記載の目地ジョイナー装置において、目地ジョイナー本体に取り付け補助部品を設け、この取り付け補助部品に設けた小孔を介して支持棒が回動可能に設けられたことを特徴とする目地ジョイナー装置。
【請求項４】
請求項1記載の目地ジョイナー装置において、支持棒がＬ字型の取り付け部品に分離可能に取り付けられ、取り付け部品の別の辺に設けた小孔を介してＬ字型の取り付け補助部品に回動可能に設けられ、Ｌ字型の取り付け補助部品はこの取り付け補助部品に設けた小孔を介して目地ジョイナー本体に回動可能に設けられたことを特徴とする目地ジョイナー装置。
【請求項５】
請求項1記載の目地ジョイナー装置において、支持棒がコ字型の取り付け部品の3辺の中間辺に中間辺が上に凸の状態で分離可能に取り付けられ、取り付け部品の両端の辺に設けた小孔を介して中間辺が下に凸の状態でコ字型の取り付け補助部品に回動可能に設けられ、コ字型の取り付け補助部品はこの取り付け補助部品の中間辺に設けた小孔を介して目地ジョイナー本体に回動可能に設けられたことを特徴とする目地ジョイナー装置。
【発明の詳細な説明】
【技術分野】
【０００１】
本発明は目地ジョイナーを取付けるにあたり例えば天井の施工に関していえば天井裏から簡単に施工が可能で且つ完全なシールを施す事が出来る天井および壁用の目地ジョイナーを提供するものである。
【背景技術】
【０００２】
近年建築用壁あるいは天井をパネルで製作する工法が発達してさまざまな合理化が行われ、またその機能も充実する事によりさらにその工法での施工が採用されている。建築用目地ジョイナーは例えば天井の施工に関していえば複数の天井板間の隙間を塞ぐ目的で設置される。この目地ジョイナーにかんしても種々の構造、形状、材質の目地ジョイナーが開発され、使用されている。（例えば特許文献１、特許文献２、特許文献３参照）
【０００３】
従来の目地ジョイナーは例えば天井であればパネル間の隙間に下から挿入し、天井裏で固定していた。また通常の目地ジョイナーを使わない工法もあった。
【特許文献１】特開平１０−１０２６３２号公報「耐火パネルの取付構造」
【特許文献２】特開平９−２７９７５２号公報「厨房天井構造」
【特許文献３】特開平９−３０２８３７「天井」
【発明の開示】
【発明が解決しようとする課題】
【０００４】
以上に述べた従来の目地ジョイナーでは、天井が高い建築物の場合、下から施工するための足場が必要となり、工期を必要とするばかりでなく足場を設置するための費用も発生する。壁上部に関しても同様の問題が発生する
【０００５】
海上に建築物を施工する技術はその材料開発等の周辺技術の開発もあって日々進歩し、従来施工が困難であった金属パネル工法も採用されてきている。海上で床を施工する場合下部より施工するための足場を設置する事が困難であり、足場の施工費用も陸上に比べさらに高価となる。
【０００６】
【特許文献４】はパネルを強固に固定しまた優れた防水性を有する目地カバーを提供しているが表から装入し裏でとめるタイプであり、全て片側から施工できる目地カバーではない。また地震のゆれに対して変形が発生する事が予想される。
【０００７】
【特許文献５】はレール上を移動可能とした吊ボルトに見切り材を固定し、その見切り材の上に天井材を載せる方法でやはり表から装入し裏でとめるタイプである。また天井板は乗せるだけでシールは考慮されていない。
【０００８】
【特許文献６】は天井仕上材裏面を防燃布に貼り付け、天井仕上材の端部より防燃布がはみ出す大きさにして耳部を作り、この耳部をジョイナーで挟み込みこのジョイナーを上部に張った吊ワイヤーで吊って天井を支える。この方法では施工は上部のみから可能であり本特許の課題を解決するが、防燃布の強度および仕上材裏面を防燃布に貼り付ける接着剤の強度が問題であり大型構造物には適用が困難であった。
【０００９】
以上述べた問題を解決するための目地ジョイナーの開発が必要とされ、本特許はこれを満足する目地ジョイナーを提供する。
【課題を解決するための手段】
【００１０】
本発明は複数の板体間に隙間を設けて取り付ける目地ジョイナーであって、目地ジョイナー本体に支持棒が取り付け部品を介して回動可能に設けられたことを特徴とする目地ジョイナー装置を提供する。
【００１１】
また上記記載の目地ジョイナー装置において、支持棒が取り付け部品に一体的に設けられ、取り付け部品に設けた小孔を介して目地ジョイナー本体に回動可能に設けられたことを特徴とする目地ジョイナー装置を提供する。
【００１２】
さらに上記記載の目地ジョイナー装置において、目地ジョイナー本体に取り付け補助部品を設け、この取り付け補助部品に設けた小孔を介して支持棒が回動可能に設けられたことを特徴とする目地ジョイナー装置を提供する。
【００１３】
さらに上記記載の目地ジョイナー装置において、支持棒がＬ字型の取り付け部品に分離可能に取り付けられ、取り付け部品の別の辺に設けた小孔を介してＬ字型の取り付け補助部品に回動可能に設けられ、Ｌ字型の取り付け補助部品はこの取り付け補助部品に設けた小孔を介して目地ジョイナー本体に回動可能に設けられたことを特徴とする目地ジョイナー装置を提供する。
【００１４】
また上記記載の目地ジョイナー装置において、支持棒がコ字型の取り付け部品の3辺の中間辺に中間辺が上に凸の状態で分離可能に取り付けられ、取り付け部品の両端の辺に設けた小孔を介して中間辺が下に凸の状態でコ字型の取り付け補助部品に回動可能に設けられ、コ字型の取り付け補助部品はこの取り付け補助部品の中間辺に設けた小孔を介して目地ジョイナー本体に回動可能に設けられたことを特徴とする目地ジョイナー装置を提供する。
【００１５】
上記課題解決手段による作用はいずれの場合においても例えば複数の天井板の間の狭い隙間の上部から目地ジョイナーを挿入し、所定の位置に固定することができる。
【発明の効果】
【００１６】
本発明の目地ジョイナーは天井および床においては上部から壁においては内部から目地ジョイナーを挿入し、固定することを可能とする。このことにより足場の設置が不要となり、また不自然な姿勢での作業を軽減できる。壁施工においては隣の壁との空間がない場合においても内部から簡単に施工が可能となった。
【００１７】
また例えば海上で床を施工する場合気象による作業への影響を緩和でき、そのことによる作業の安全性の確保、作業性の向上が可能となった。
【００１８】
さらに本発明の目地ジョイナーを挿入した後、シール用ガスケットを簡単に挿入し優れた気密性あるいは防水性あるいは防音性を有するシールが可能である。
【発明を実施するための最良の形態】
【００１９】
以下本発明をさらに詳細に説明する。図1は本発明の目地ジョイナーの１例を示している。支持棒３とジョイナー本体1の間に取り付け部品６が設けられている。
【００２０】
図2は図1の目地ジョイナーを分解した各部品の構成図を示している。取り付け補助部品5はリベットピン4により目地ジョイナー本体1にゆるく打鋲され、リベットピン4を中心として取り付け補助部品5が回転する。取り付け補助部品5は取り付け部品６にリベットピン７によりゆるく打鋲され、リベットピン７を中心として取り付け部品６が回転する。取り付け部品６に支持棒３がネジで固定されている。これにより支持棒３は目地ジョイナー本体1に対し自由な角度に動かす事が出来る。
【００２１】
図３は支持棒３が取り付け部品６と一体となっていて、取り付け部品に設けた小孔１１を介して取り付け補助部品5にゆるく打鋲されている。取り付け補助部品5は目地ジョイナー本体1にゆるく打鋲される。
【００２２】
さらに図４は支持棒３が取り付け部品６と一体となっていて、取り付け補助部品5を目地ジョイナー本体にもうけた実施例を示している。同様に支持棒３の角度の自由度がそれほど必要ないと判断される場合、取り付け補助部品5はスポット溶接等により目地ジョイナー本体1に固定する事が出来る。その際支持棒３が動くべき方向を考慮し取り付け補助部品5を固定する方向を決定する。
【００２３】
図５は支持棒３が取り付け部品６にねじで留められ、分離可能となっていて、取り付け部品６がＬ字型であり、また取り付け補助部品5もＬ字型である実施例を示している。
【００２４】
図６は支持棒３が取り付け部品６にねじで留められ、分離可能となっていて、取り付け部品６がコ字型であり、また取り付け補助部品5もコ字型である実施例を示している。この場合リベット７はおのおの２個の小孔１１および小孔１１´を通って緩く打鋲され、リベット４により小孔１２を介して目地ジョイナー本体1に緩く打鋲される。
【００２５】
図７は意匠性、シール性等の要求により異なる形状の目地ジョイナー本体１を有する実施例を示している。
【００２６】
図８は天井板８に目地ジョイナー２が装入される概念図を示している。図９は天井板８に目地ジョイナー２が固定金具９およびナット１０により固定された状況を示している。
【００２７】
図１０および図１１は壁に目地ジョイナー２を施工する例を示している。防音、防水、気密等の目的でガスケット１３を装入する。
【図面の簡単な説明】
【００２８】
【図１】目地ジョイナー実施例１
【図２】目地ジョイナー構成図
【図３】目地ジョイナー一体型実施例１
【図４】目地ジョイナー一体型実施例２
【図５】目地ジョイナー分離型実施例１
【図６】目地ジョイナー分離型実施例２
【図７】異なる形状の目地ジョイナー本体を有する実施例
【図８】天井施工概念図１
【図９】天井施工概念図２
【図１０】壁面施工概念図１
【図１１】壁面施工概念図２
【符号の説明】
【００２９】
１  目地ジョイナー本体  、２  目地ジョイナー  、    ３  支持棒、  ４  リベットピン  、  ５  取り付け補助部品  、  ６  取り付け部品  、  ７  リベットピン  、  ８  天井板  、  ９  固定金具  、  １０  ナット  、  １１  小孔  、１１´  小孔  、  １２    小孔  、  １３  ガスケット
【図１】
2005273381.tif 000003
【図２】
2005273381.tif 000004
【図３】
2005273381.tif 000005
【図４】
2005273381.tif 000006
【図５】
2005273381.tif 000007
【図６】
2005273381.tif 000008
【図７】
2005273381.tif 000009
【図８】
2005273381.tif 000010
【図９】
2005273381.tif 000011
【図１０】
2005273381.tif 000012
【図１１】
2005273381.tif 000013